(57)【要約】【課題】折り曲げ可能な板状素材を折曲成形・組立して構成される複数のパーツを身体に装着する着ぐるみ玩具において、各パーツを身体に適切に保持させる。【解決手段】複数のパーツの一つとして、胴部パーツの内側で身体に装着・係止される足部吊り下げ用パーツを有し、足部パーツが、その上端を連結手段を介して前記足部吊り下げ用パーツに脱着可能に連結することにより身体に係止されるようにした。これにより、足部パーツの身体に対する保持を適切に行うことができるとともに、足部パーツの胴部パーツに対する動きの自由度を十分に確保することができる。また、腕部パーツの先端に着用者が手で把持することができる把持部を設け、着用者がこの把持部を手で把持することにより、腕部パーツが身体に係止されるようにした。これにより、腕部パーツの身体に対する保持を適切に行うことができるとともに、腕部パーツの胴部パーツに対する動きの自由度を十分に確保することができる。【選択図】      図４６
2004242795.tif 000002
【特許請求の範囲】
【請求項１】
折り曲げ可能な板状素材を折り曲げ成形又は／及び組み立てすることにより立体形状に構成される複数のパーツを有し、該複数のパーツを身体に装着することにより、少なくとも身体の主要部分を覆う着ぐるみが構成される着ぐるみ玩具であって、
身体の主要部分を覆うためのパーツとして、少なくとも、頭に装着する頭部パーツと、胴体に装着する胴部パーツと、足に装着する１対の足部パーツと、手及び腕に装着する１対の腕部パーツを有するとともに、
前記板状素材又は／及び他の素材から構成され、前記胴部パーツの内側で身体に装着・係止される足部吊り下げ用パーツを有し、
前記各足部パーツは、その上端が連結手段を介して前記足部吊り下げ用パーツに脱着可能に連結されることにより、身体に係止されることを特徴とする着ぐるみ玩具。
【請求項２】
足部吊り下げ用パーツの上下方向の複数箇所に、連結手段を係脱可能に係止することができる係止部を設け、着用者の身長に応じて前記連結手段を係止させる係止部を選択できるようにしたことを特徴とする請求項１に記載の着ぐるみ玩具。
【請求項３】
足部吊り下げ用パーツが、折り曲げ可能な板状素材で構成され、且つ長手方向の中間部に頭を通すための穴を有する細長材からなり、前記穴を中心に長手方向で曲げ成形された状態で前記穴に頭を通し、一端側が身体の胸−腹側に位置し、他端側が身体の背側に位置した状態で身体に装着・係止されるとともに、前記一端側と足部パーツ前面側の上端が、前記他端側と足部パーツ側面側又は後面側の上端が、それぞれ連結手段を介して脱着可能に連結されることを特徴とする請求項１又は２に記載の着ぐるみ玩具。
【請求項４】
各腕部パーツは、その上端が連結手段を介して胴部パーツに脱着可能に連結されることにより、身体に係止されることを特徴とする請求項１、２又は３に記載の着ぐるみ玩具。
【請求項５】
腕部パーツが、少なくとも、上膊部パーツと手−下膊部パーツとからなり、前記上膊部パーツの下端と前記手−下膊部パーツの上端が連結手段を介して脱着可能に連結されることを特徴とする請求項１、２、３又は４に記載の着ぐるみ玩具。
【請求項６】
折り曲げ可能な板状素材を折り曲げ成形又は／及び組み立てすることにより立体形状に構成される複数のパーツを有し、該複数のパーツを身体に装着することにより、少なくとも身体の主要部分を覆う着ぐるみが構成される着ぐるみ玩具であって、
身体の主要部分を覆うためのパーツとして、少なくとも、頭に装着する頭部パーツと、胴体に装着する胴部パーツと、足に装着する１対の足部パーツと、手及び腕に装着する１対の腕部パーツを有し、
前記各腕部パーツは、その先端に着用者が手で把持することができる把持部を有し、着用者が該把持部を手で把持することにより、各腕部パーツが身体に係止されることを特徴とする着ぐるみ玩具。
【請求項７】
腕部パーツが、少なくとも、上膊部パーツと手−下膊部パーツとからなり、前記上膊部パーツの下端の１辺と前記手−下膊部パーツの上端の１辺とが連結部材により折れ曲げ動作可能に連結されることを特徴とする請求項６に記載の着ぐるみ玩具。
【請求項８】
腕部パーツが１つのパーツからなり、その長手方向中間部で折れ曲げ動作可能に構成されることを特徴とする請求項６に記載の着ぐるみ玩具。
【請求項９】
足部パーツが、少なくとも、足−脛部パーツと腿部パーツとからなり、前記足−脛部パーツの上端と前記腿部パーツの下端が連結手段を介して脱着可能に連結されることを特徴とする請求項１、２、３、４、５、６、７又は８に記載の着ぐるみ玩具。
【請求項１０】
足部パーツが、少なくとも、足−脛部パーツと腿部パーツと脛ガードパーツとからなり、該脛ガードパーツが前記足−脛部パーツの前面に固定されるとともに、該足−脛部パーツの上端と前記腿部パーツの下端が連結手段を介して脱着可能に連結されることを特徴とする請求項１、２、３、４、５、６、７、８又は９に記載の着ぐるみ玩具。
【請求項１１】
胴部パーツが、少なくとも、折り曲げ成形し又は折り曲げ成形及び組み立てすることにより筒状に構成される周胴部パーツと、該周胴部パーツの上部に脱着可能に連結される肩部パーツとからなることを特徴とする請求項１、２、３、４、５、６、７、８、９又は１０に記載の着ぐるみ玩具。
【請求項１２】
肩部パーツが、少なくとも、頭を通す穴を有する中央板部と、該中央板部の前後にそれぞれ連成された胸板部及び背板部とからなり、該胸板部及び背板部を周胴部パーツの前面及び後面にそれぞれ脱着可能に連結することにより、周胴部パーツに脱着可能に連結されることを特徴とする請求項１１に記載の着ぐるみ玩具。
【請求項１３】
連結手段が、輪ゴム、紐材、可曲性のプラスチック材の中から選ばれる少なくとも１種であることを特徴とする請求項１、２、３、４、５、９、１０、１１又は１２に記載の着ぐるみ玩具。
【請求項１４】
連結手段が、パーツに形成された切り込み部とその先端部に貫設された小孔とからなる連結手段係止部に係脱可能に係止されることを特徴とする請求項１３に記載の着ぐるみ玩具。
【請求項１５】
連結手段を用いないパーツどうしの脱着可能な連結部又はパーツを構成すべき部材どうしの脱着可能な連結部では、一方のパーツ又は部材に貫設されたスリット又はスリット状の切欠き部に、他方のパーツ又は部材の一部を構成する挿込用板部を挿脱可能に嵌挿することにより、パーツどうし又は部材どうしが脱着可能に連結されることを特徴とする請求項１、２、３、４、５、６、７、８、９、１０、１１、１２、１３又は１４に記載の着ぐるみ玩具。
【請求項１６】
挿込用板部の基端部の一部にスリット状の切り欠き部が形成され、該切り欠き部に、連結すべき相手方のパーツ又は部材の一部が嵌入されることにより、パーツどうしまたは部材どうしが脱着可能に連結されることを特徴とする請求項１５に記載の着ぐるみ玩具。
【発明の詳細な説明】
【０００１】
【発明の属する技術分野】
本発明は、ダンボール紙などの板状素材を折り曲げ成形又は／及び組み立てすることにより立体形状に構成される複数のパーツを有し、これら複数のパーツを身体に装着することにより、少なくとも身体の主要部分を覆う着ぐるみが構成される着ぐるみ玩具に関する。
【０００２】
【従来の技術】
子供などが身体に纏って遊ぶことができる被服玩具（着ぐるみ玩具）が、特許文献１に示されている。
【特許文献１】
特開昭６０−１８２９８１号公報
この被服玩具は、ロボットの面、上下半身、腕、足などの部分が印刷され、且つモルトプレーンが裏打ちされたダンボール紙から前記各部分（パーツ）を切り取り、これらのパーツを折り曲げ成形などによって立体形状に構成した後、各パーツを身体に装着し、着ぐるみ玩具として遊ぶというものである。
【０００３】
【発明が解決しようとする課題】
しかし、この特許文献１には、各パーツの連結構造や身体に保持させるための機構など、着ぐるみ玩具に必要とされる具体的な構造や機構が全く示されていない。
すなわち、この種の着ぐるみ玩具では、各パーツが適当に連結されて身体に保持される必要があり、さらに、▲１▼組み立てや着用が簡単であること、▲２▼着用した状態で体を動かし易いこと（動作の自由度が確保されること）、▲３▼身体からの取り外し、各パーツの分解、再着用がし易く、しかもデザイン性に優れていること、▲４▼着用者の身長の高低に対応できること、なども必要であるが、特許文献１にはこのような諸要求を満足させるような具体的な構造や機構は何ら示されていない。
【０００４】
したがって本発明の目的は、ダンボール紙などの折り曲げ可能な板状素材を折り曲げ成形又は／及び組み立てすることにより立体形状に構成される複数のパーツを有し、これら複数のパーツを身体に装着することにより、少なくとも身体の主要部分を覆う着ぐるみが構成される着ぐるみ玩具において、各パーツを身体に対して適切に係止、保持させることができる着ぐるみ玩具を提供することにある。
また、本発明の他の目的は、▲１▼組み立てや着用が簡単であること、▲２▼着用した状態で体を動かし易いこと、▲３▼身体からの取り外し、各パーツの分解、再着用がし易いこと、▲４▼着用者の身長の高低に対応できること、などの諸要求を満足させることができる着ぐるみ玩具を提供することにある。
【０００５】
【課題を解決するための手段】
上記課題を解決するための本発明の着ぐるみ玩具の特徴は以下の通りである。
［１］  折り曲げ可能な板状素材を折り曲げ成形又は／及び組み立てすることにより立体形状に構成される複数のパーツを有し、該複数のパーツを身体に装着することにより、少なくとも身体の主要部分を覆う着ぐるみが構成される着ぐるみ玩具であって、
身体の主要部分を覆うためのパーツとして、少なくとも、頭に装着する頭部パーツと、胴体に装着する胴部パーツと、足に装着する１対の足部パーツと、手及び腕に装着する１対の腕部パーツを有するとともに、
前記板状素材又は／及び他の素材から構成され、前記胴部パーツの内側で身体に装着・係止される足部吊り下げ用パーツを有し、
前記各足部パーツは、その上端が連結手段を介して前記足部吊り下げ用パーツに脱着可能に連結されることにより、身体に係止されることを特徴とする着ぐるみ玩具。
［２］  上記［１］の着ぐるみ玩具において、足部吊り下げ用パーツの上下方向の複数箇所に、連結手段を係脱可能に係止することができる係止部を設け、着用者の身長に応じて前記連結手段を係止させる係止部を選択できるようにしたことを特徴とする着ぐるみ玩具。
【０００６】
［３］  上記［１］又は［２］の着ぐるみ玩具において、足部吊り下げ用パーツが、折り曲げ可能な板状素材で構成され、且つ長手方向の中間部に頭を通すための穴を有する細長材からなり、前記穴を中心に長手方向で曲げ成形された状態で前記穴に頭を通し、一端側が身体の胸−腹側に位置し、他端側が身体の背側に位置した状態で身体に装着・係止されるとともに、前記一端側と足部パーツ前面側の上端が、前記他端側と足部パーツ側面側又は後面側の上端が、それぞれ連結手段を介して脱着可能に連結されることを特徴とする着ぐるみ玩具。
［４］  上記［１］〜［３］のいずれかの着ぐるみ玩具において、各腕部パーツは、その上端が連結手段を介して胴部パーツに脱着可能に連結されることにより、身体に係止されることを特徴とする着ぐるみ玩具。
［５］  上記［１］〜［４］のいずれかの着ぐるみ玩具において、腕部パーツが、少なくとも、上膊部パーツと手−下膊部パーツとからなり、前記上膊部パーツの下端と前記手−下膊部パーツの上端が連結手段を介して脱着可能に連結されることを特徴とする着ぐるみ玩具。
【０００７】
［６］  折り曲げ可能な板状素材を折り曲げ成形又は／及び組み立てすることにより立体形状に構成される複数のパーツを有し、該複数のパーツを身体に装着することにより、少なくとも身体の主要部分を覆う着ぐるみが構成される着ぐるみ玩具であって、
身体の主要部分を覆うためのパーツとして、少なくとも、頭に装着する頭部パーツと、胴体に装着する胴部パーツと、足に装着する１対の足部パーツと、手及び腕に装着する１対の腕部パーツを有し、
前記各腕部パーツは、その先端に着用者が手で把持することができる把持部を有し、着用者が該把持部を手で把持することにより、各腕部パーツが身体に係止されることを特徴とする着ぐるみ玩具。
［７］  上記［６］の着ぐるみ玩具において、腕部パーツが、少なくとも、上膊部パーツと手−下膊部パーツとからなり、前記上膊部パーツの下端の１辺と前記手−下膊部パーツの上端の１辺とが連結部材により折れ曲げ動作可能に連結されることを特徴とする着ぐるみ玩具。
［８］  上記［６］の着ぐるみ玩具において、腕部パーツが１つのパーツからなり、その長手方向中間部で折れ曲げ動作可能に構成されることを特徴とする着ぐるみ玩具。
【０００８】
［９］  上記［１］〜［８］のいずれかの着ぐるみ玩具において、足部パーツが、少なくとも、足−脛部パーツと腿部パーツとからなり、前記足−脛部パーツの上端と前記腿部パーツの下端が連結手段を介して脱着可能に連結されることを特徴とする着ぐるみ玩具。
［１０］  上記［１］〜［９］のいずれかの着ぐるみ玩具において、足部パーツが、少なくとも、足−脛部パーツと腿部パーツと脛ガードパーツとからなり、該脛ガードパーツが前記足−脛部パーツの前面に固定されるとともに、該足−脛部パーツの上端と前記腿部パーツの下端が連結手段を介して脱着可能に連結されることを特徴とする着ぐるみ玩具。
［１１］  上記［１］〜［１０］のいずれかの着ぐるみ玩具において、胴部パーツが、少なくとも、折り曲げ成形し又は折り曲げ成形及び組み立てすることにより筒状に構成される周胴部パーツと、該周胴部パーツの上部に脱着可能に連結される肩部パーツとからなることを特徴とする着ぐるみ玩具。
［１２］  上記［１１］の着ぐるみ玩具において、肩部パーツが、少なくとも、頭を通す穴を有する中央板部と、該中央板部の前後にそれぞれ連成された胸板部及び背板部とからなり、該胸板部及び背板部を周胴部パーツの前面及び後面にそれぞれ脱着可能に連結することにより、周胴部パーツに脱着可能に連結されることを特徴とする着ぐるみ玩具。
【０００９】
［１３］  上記［１］〜［５］、［９］〜［１２］のいずれかの着ぐるみ玩具において、連結手段が、輪ゴム、紐材、可曲性のプラスチック材の中から選ばれる少なくとも１種であることを特徴とする着ぐるみ玩具。
［１４］  上記［１３］の着ぐるみ玩具において、連結手段が、パーツに形成された切り込み部とその先端部に貫設された小孔とからなる連結手段係止部に係脱可能に係止されることを特徴とする着ぐるみ玩具。
［１５］  上記［１］〜［１４］のいずれかの着ぐるみ玩具において、連結手段を用いないパーツどうしの脱着可能な連結部又はパーツを構成すべき部材どうしの脱着可能な連結部では、一方のパーツ又は部材に貫設されたスリット又はスリット状の切欠き部に、他方のパーツ又は部材の一部を構成する挿込用板部を挿脱可能に嵌挿することにより、パーツどうし又は部材どうしが脱着可能に連結されることを特徴とする着ぐるみ玩具。
［１６］  上記［１５］の着ぐるみ玩具において、挿込用板部の基端部の一部にスリット状の切り欠き部が形成され、該切り欠き部に、連結すべき相手方のパーツ又は部材の一部が嵌入されることにより、パーツどうしまたは部材どうしが脱着可能に連結されることを特徴とする着ぐるみ玩具。
【００１０】
【発明の実施の形態】
まず、本発明の第１の基本形態に係る着ぐるみ玩具について説明する。
この第１の基本形態に係る着ぐるみ玩具は、胴部パーツの内側で身体に装着・係止される足部吊り下げ用パーツを有し、足部パーツが、連結手段を介して前記足部吊り下げ用パーツに脱着可能に連結されることにより、身体に係止されるようにしたことを基本的な特徴とするものである。
図１〜図４８は本発明の第１の基本形態に係る着ぐるみ玩具の一実施形態を示すもので、この実施形態の着ぐるみ玩具は、平板状のダンボール紙を素材とし、ロボット（戦士ロボット）をキャラクターとするものである。上記図面のうち、図１〜図２０は折り曲げ成形又は／及び組み立て前のダンボール紙製の各パーツ及びパーツを構成すべき部材を示し、図２１〜図４５はこれら各パーツ又は部材を折り曲げ成形又は／及び組み立てした状態を示す。また、図４６〜図４８は、折り曲げ成形又は／及び組み立てして身体に装着可能となった各パーツを身体に装着するための手順を示す。
【００１１】
本発明の第１の基本形態に係る着ぐるみ玩具は、ダンボール紙などの板状素材を折り曲げ成形又は／及び組み立てすることにより立体形状に構成される複数のパーツを有し、この複数のパーツを身体に装着することにより、少なくとも身体の主要部分を覆う着ぐるみが構成される着ぐるみ玩具であって、身体の主要部分を覆うためのパーツとして、少なくとも、頭に装着する頭部パーツ１と、胴体に装着する胴部パーツ２と、足に装着する１対の足部パーツ３と、手及び腕に装着する１対の腕部パーツ４を有するとともに、さらなるパーツとして、折れ曲げ可能な板状素材又は／及び他の素材から構成され、前記胴部パーツ２の内側で身体に装着・係止される足部吊り下げ用パーツ５を有するものである。また、本実施形態では、前記頭部パーツ１、胴部パーツ２、足部パーツ３及び腕部パーツ４が、それぞれ複数の構成パーツを組み合わせることにより構成される。
なお、後述するように、前記足部吊り下げ用パーツ５は任意の素材により構成することができるが、本実施形態では他のパーツと同様、折り曲げ可能な板状素材で構成されている。
【００１２】
まず、頭部パーツ１について説明する。
図１〜図３は頭部パーツ１を構成すべき複数の構成パーツの折り曲げ成形又は／及び組み立て前の平面形状を、図２１〜図２３はこれら各構成パーツを折り曲げ成形又は／及び組み立てした状態を、図２４はこれら折り曲げ成形又は／及び組み立てされた構成パーツを組み付けて構成された頭部パーツ１を、それぞれ示している。
この頭部パーツ１は、頭部本体パーツ１４と、この頭部本体パーツ１４に脱着可能に取り付け固定される付属パーツ１５Ａ，１５Ｂとから構成される。
【００１３】
図１及び図２１は前記頭部本体パーツ１４を示すもので、この頭部本体パーツ１４は、筒状の頭部パーツ１の周胴部を構成すべき横長矩形状の周胴板部１４０と、この周胴板部１４０に連成される天板部１４１と、この天板部１４１と周胴板部１４０を連結するために前記天板部１４１に連成される連結用板部１４２とからなっている。
前記周胴板部１４０には、これを断面８角形の筒状に折り曲げ成形するために、上下方向の全長に亘る折り曲げ可能部ｘ（以下、これを便宜上「折り曲げ線ｘ」という）が幅方向で間隔をおいた７箇所に形成されている。この折り曲げ線ｘは、例えば、ダンボール紙面に押し型などにより凹みを付けたり、刃物で部分的な切込みを入れたりすることにより形成させることができる。なお、以下に述べる各パーツの折り曲げ線ｘも同様である。
【００１４】
前記周胴板部１４０の前面において、着用者の目、口、耳と略対応する部分には、窓孔１４３ａ（視覚用），１４３ｂ（口用），１４３ｃ（聴覚用）などが貫設されている。このうち、視覚用の窓孔１４３ａは視界を確保するため比較的大きな横長形状に、また、耳用の窓孔１４３ｃはスリット状に形成されている。さらに、視覚用の窓孔１４３ａの上方には、前記天板部１４１を係止するために用いる１対の平行な縦長状のスリット１４４が貫設されている。また、周胴板部１４０の一方の側辺には、他方の側辺に接着するための糊代部１４５ａが折り曲げ線ｘを介して連成され、また、同じく上辺には天板部１４１の下面に接着し、或いは平板部１４１の下面に接してこれを支持するための糊代部１４５ｂ（又は支持板部）が折り曲げ線ｘを介して連成されている。
【００１５】
前記天板部１４１は８角形状に構成され、その８角形の一辺側が、前記周胴板部１４０の頭後面側となるべき部分の上辺に折り曲げ線ｘを介して連成されている。この天板部１４１には付属パーツ１５Ｂを取り付けするための１対の平行なスリット１４６が貫設されている。
前記連結用板部１４２は、周胴板部１４０側とは反対側の天板部１４１の辺部に折り曲げ線ｘを介して連成されている。この連結用板部１４２には、前記周胴板部１４０に設けられた１対のスリット１４４と同間隔の１対のスリット１４７が貫設されている。
【００１６】
図２及び図２２は前記付属パーツ１５Ａを示すもので、この付属パーツ１５Ａは、前記周胴板部１４０と前記連結用板部１４２とを連結するための部材と頭部の飾り部材とを兼ねたものである。この付属パーツ１５Ａは、前記１対のスリット１４４及びスリット１４７の間隔と略同じ幅を有する下板部１５０と、その上部に連成される角（ツノ状）の上板部１５５（飾り部分）とからなり、前記下板部１５０の両側には、折り曲げ線ｘを介して１対の挿込用板部１５１が連成（突設）されている。また、この１対の挿込用板部１５１の下部には、下端から上方に向けてスリット状の切欠き部１５２が形成されている。
図３及び図２３は飾り用の部材である前記付属パーツ１５Ｂを示すもので、この付属パーツ１５Ｂは中央部に長手方向に沿った１対の折り曲げ線ｘが形成されるとともに、両側に１対の挿込用板部１５３が連成（突設）され、さらに、この各挿込用板部１５３の基端部の一方の側端にはスリット状の切欠き部１５４が形成されている。
【００１７】
以上述べた各構成パーツを折り曲げ成形及び組み立てすることにより、図２４に示すような立体的な頭部パーツ１を構成するには、まず、頭本体パーツ１４について、周胴板部１４０を折り曲げ線ｘから折り曲げて断面略８角形の筒状にし、一方の側辺の糊代１４５ａを他方の側辺の裏面に接着剤や接着テープなどを用いて接着（なお、以下の説明で「接着」といった場合は、同様に接着剤や接着テープなどを用いて接着することを意味するものとする）する。さらに、上辺の糊代部１４５ｂを折り曲げ線ｘから筒状の内側に折り曲げる。連結用板部１４２を折り曲げ線ｘから天板部１４１の裏面方向に折り曲げるとともに、天板部１４１を折り曲げ線ｘから筒状となった周胴板部１４０の上端側に折り曲げ、前記連結用板部１４２を筒状の周胴板部１４０の内側に差し込む。これにより、連結用板部１４２のスリット１４７と周胴板部１４０のスリット１４４とが前後に重なって連通した状態となる。なお、必要であれば前記糊代部１４５ｂを天板部１４１の裏面側に接着してもよい。
【００１８】
前記付属パーツ１５Ａの１対の挿込用板部１５１を折り曲げ線ｘから９０°折り曲げ、この１対の挿込用板部１５１を周胴板部１４０の前面側から前記１対のスリット１４４とその裏側に位置する連結用板部１４２のスリット１４７に挿し込んだ後、付属パーツ１５Ａを下方に押し下げる。これにより、１対の挿込用板部１５１の切欠き１５２内にスリット１４４下方の周胴板部１４０の部分とスリット１４７下方の連結用板部１４２の部分が嵌入し、連結用板部１４２（及びこれと一体の天板部１４１）と周胴板部１４０とが付属パーツ１５Ａにより連結される。また、付属パーツ１５Ｂを折り曲げ線ｘから略９０°折り曲げ、１対の挿込用板部１５３を頭部本体パーツ１４の前記天板部１４１に形成されたスリット１４６に挿し込み、その切欠き部１５４に天板部１４１の部分が嵌入するよう付属パーツ１５Ｂを水平にスライドさせる。これにより、付属パーツ１５Ｂが頭部本体パーツ１４に固定される。
以上により、図２４に示すような下端が開放した頭部パーツ１が構成される。
【００１９】
次に、胴部パーツ２について説明する。
図４〜図９は胴部パーツ２を構成すべき複数の構成パーツ（及びパーツを構成する部材）の折り曲げ成形又は／及び組み立て前の平面形状を、また、図２５〜図３０はこれら各構成パーツを折り曲げ成形又は／及び組み立てした状態を、図３１〜図３４はこれら折り曲げ成形又は／及び組み立てされた構成パーツどうしの組み付け途中の状態を、図３５は全構成パーツを組み付けて構成された胴部パーツ２を、それぞれ示している。
この胴部パーツ２は、折り曲げ成形されて筒状に構成される周胴部パーツ１１と、この周胴部パーツ１１の上部に固定される肩部パーツ１２と、これら周胴部パーツ１１と肩部パーツ１２とを脱着可能に連結するための前部連結用パーツ１６及び後部連結用パーツ１７Ａ，１７Ｂから構成される。
【００２０】
図４及び図５は、前記周胴部パーツ１１を構成すべき前胴部材１１０と後胴部材１１１の平面形状を、図２５及び図２６はこれらの部材を折り曲げ成形及び接着することにより構成された周胴部パーツ１１を、それぞれ示している。
前記前胴部材１１０は、周胴部パーツ１１の前面及び両側面を構成するもので、縦長形状の前板部１１２と、その両側に折り曲げ線ｘを介して連成された側板部１１３ａ，１１３ｂとからなっている。前記前板部１１２には、１対の縦長のコ字状の切り込み部１１４が幅方向で間隔をおいて且つ前板部１１２の幅方向中心に対して線対称に形成され、この切り込み部１１４の内側部分が１対の挿込用板部１１５を構成している。この各挿込用板部１１５の基端部には折り曲げ線ｘが形成されるとともに、基端部の上部部分には上端から下向きにスリット状の切欠き部１１６が形成されている。また、前記各側板部１１３ａ，１１３ｂの上端には、幅方向で適当な間隔をおいて１対の切り込み部ｅとその各先端部に貫設された小孔ｆとからなる連結手段係止部１１７が、それぞれ形成されている。後述する各連結手段係止部も同様であるが、前記連結手段係止部１１７は輪ゴムなどからなる伸縮自在なゴム製の連結手段を係脱可能に係止するためのもので、例えば連結手段として輪ゴムを用いる場合を例にとると、輪ゴムの一部を切り込み部ｅを通して小孔ｆ内に嵌め込むものであり、輪ゴムは小孔ｆ内に保持されることにより連結手段係止部１１７に脱着可能に係止される。
【００２１】
前記後胴部材１１１は周胴部パーツ１１の背面を構成するもので、その上部には幅方向で間隔をおいて１対の横長状のスリット１１８が形成されている。また、この後胴部材１１１の両側には折り曲げ線ｘを介して糊代部１１９が連成されている。
前記前胴部材１１０は、その両側板部１１３ａ，１１３ｂが折り曲げ線ｘから後方側に略９０°折り曲げられ、且つ１対の挿込用板部１１５が折り曲げ線ｘから前方側へ略９０°折り曲げられる。一方、後胴部材１１１の糊代部１１９を折り曲げ線ｘから折り曲げ、この後胴部材１１１の糊代部１１９を前胴部材１１０の両側辺に接着し、図２５及び図２６に示すような筒状の周胴部パーツ１１が構成される。
【００２２】
図６、図２７及び図２８は前記肩部パーツ１２を示すもので、この肩部パーツ１２は、頭を通す穴１２４を有する中央板部１２０と、この中央板部１２０の両側に連成された１対の張り出し肩板部１２１ａ，１２１ｂと、前記中央板部１２０の前後にそれぞれ折り曲げ線ｘを介して連成された胸板部１２２及び背板部１２３とからなっている。また、前記各張り出し肩板部１２１ａ，１２１ｂは、その前後の部分１２１０が折り曲げ線ｘを介して下方に折り曲げ可能に構成されている。
【００２３】
前記胸板部１２２の下部は上部に比べて幅狭に構成され、この下部部分には１対の縦長状のスリット１２５が幅方向で適当な間隔をおいて貫設されている。また、前記背板部１２３の幅方向両側には、それぞれ平行な上下１対の横長状のスリット１２６ａ，１２６ｂが貫設されている。
この肩部パーツ１２は、中央板部１２０に対して胸板部１２２と背板部１２３をそれぞれ折り曲げ線ｘから下方に折り曲げるとともに、両張り出し肩板部１２１ａ，１２１ｂの前後部分１２１０も折り曲げ線ｘから下方に折り曲げることにより折り曲げ成形される。
【００２４】
図７及び図２９は前記前部連結用パーツ１６を示すもので、この前部連結用パーツ１６は、中央の横長矩形状の背板部１６０と、その上下に折り曲げ線ｘを介してそれぞれ連成される上板部１６１及び下板部１６２と、これら上板部１６１の上側及び下板部１６２の下側に折り曲げ線ｘを介してそれぞれ連成される前板部１６３，１６３´（これら前板部１６３，１６３´は折り曲げ成形される際に重ね合わされる）とからなっている。この前部連結用パーツ１６には、背板部１６０の略下半分と下板部１６２の全体に亘る１対の縦長状のスリット１６４が幅方向で適当な間隔をおいて貫設されている。
この前部連結用パーツ１６は、前記各板部間を折り曲げ線ｘから折り曲げ、前板部１６３，１６３´を重ね合わせて接着することにより、図２９に示すような筒状に折り曲げ成形される。
【００２５】
図８及び図９は前記後部連結用パーツ１７Ａ，１７Ｂを、また、図３０は連結用パーツ１７Ａを折り曲げ成形した状態示している。なお、この後部連結用パーツ１７Ａ，１７Ｂは対称形であるので、以下、後部連結用パーツ１７Ａについてのみ説明する。この後部連結用パーツ１７Ａは、中央の縦長矩形状の前板部１７０と、その両側に折り曲げ線ｘを介して連成される側板部１７１ａ，１７１ｂと、これら両側板部１７１ａ，１７１ｂの側辺に折り曲げ線ｘを介して連成される背板部１７２，１７３（これら背板部１７２，１７３は折り曲げ成形される際に重ね合わされる）とからなっている。また、一方の背板部１７３の上部にはその全幅に亘る切り欠き部１７４が形成されるとともに、この切り欠き部１７４を挟んで対向する部分の基端部（側板部１７１ｂとの境界部）に切り込み部１７６が形成され、さらに、この前記切り込み部１７６の端部から背板部１７３の幅方向の中間位置までスリット１７７が貫設され、これにより切り欠き部１７４を挟んで対応する部分が挿込用板部１７５を構成している。
この後部連結用パーツ１７Ａは、前記各板部間を折り曲げ線ｘから折り曲げ、前記背板部１７２，１７３を重ね合わせて接着するとともに、１対の挿込用板部１７５を折り曲げ線ｘから９０°折り曲げて起立させることにより、図３０に示すような筒状に折り曲げ成形される。なお、後部連結用パーツ１７Ｂについても、同様に対称的な形態に折り曲げ成形される。
【００２６】
以上述べた各構成パーツを組み立てして図３５に示すような胴部パーツ２を構成するには、まず、折り曲げ成形された前記肩部パーツ１２を、その中央板部１２０が前記周胴部パーツ１１の上端の上方に位置し、且つ胸板部１２２及び背板部１２３がそれぞれ周胴部パーツ１１の前面及び背面の外側に位置するようにして、周胴部パーツ１１に対して配置する。そして、図３１に示すように肩部パーツ１２の前記胸板部１２２の１対のスリット１２５に周胴部パーツ１１の１対の挿込用板部１１５を挿し込み、各挿込用板部１１５を胸板部１２２の各スリット１２５から突出させる。
【００２７】
次いで、図３２に示すように前部連結用パーツ１６を胸板部１２２の前に位置させ、その１対のスリット１６４に胸板部１２２の各スリット１２５から突出した１対の挿込用板部１１５を挿し込んだ後、図３３に示すように前部連結用パーツ１６を下方（図中、矢印方向）に押し下げる。これにより前部連結用パーツ１６の部分が周胴部パーツ１１の１対のスリット１１６に嵌入することになり、前部連結用パーツ１６によって肩部パーツ１２を構成する胸板部１２２が周胴部パーツ１１に固定される。一方、肩部パーツ１１の背板部１２３は、その下部側の両スリット１２６ｂが周胴部パーツ１１のスリット１１８と一致するような状態にし、後部連結用パーツ１７Ａ，１７Ｂをそれぞれ背板部１２３に面して位置させ、図３４に示すように、その上下１対の挿込用板部１７５を背板部１２３の上下１対のスリット１２６ａ，１２６ｂに挿し込む。これにより、一方の挿込用板部１７５は背板部１２３の下部のスリット１２６ｂとその裏側の周胴部パーツ１１のスリット１１８に挿し込まれる。この状態で後部連結用パーツ１７Ａ，１７Ｂをそれぞれ横方向にスライドさせると、背板部１２３の部分と周胴部パーツ１１の部分が後部連結用パーツ１７Ａ，１７Ｂのスリット１７７に嵌入し、これにより肩部パーツ１２を構成する背板部１２３が周胴部パーツ１１に固定される。このように前部連結用パーツ１６及び後部連結用パーツ１７Ａ，１７Ｂによって周胴部パーツ１１に肩部パーツ１２が固定されることにより、図３５に示すような胴部パーツ２が構成される。肩部パーツ１２の中央板部１２０及び張り出し肩板部１２１ａ，１２１ｂと周胴部パーツ１１の上端との間には所定のスペースがあり、このスペースを通じて着用者は周胴部パーツ１１の外側に腕を出すことができ、この腕に後述する腕部パーツ４を装着することができる。
【００２８】
次に、足パーツ３について説明する。
図１０〜図１５は足部パーツ３（図１０〜図１２は右足用、図１３〜図１５は左足用）を構成すべき複数の構成パーツの折り曲げ成形又は／及び組み立て前の平面形状を、図３６〜図３９はこれら各構成パーツ（右足用）を折り曲げ成形又は／及び組み立てした状態を、図４０は折り曲げ成形又は／及び組み立てされた構成パーツ（左足用）の一部を組み付けした状態を、図４１は全構成パーツを組み付けて構成された足部パーツ３（右足用）を、それぞれ示している。
この足部パーツ３は、足−脛部パーツ６と、腿部パーツ７と、ブーツの前面形状を模した足−脛ガードパーツ８とから構成される。
【００２９】
図１０（右足用）、図１３（左足用）及び図３６（右足用）は前記足−脛部パーツ６を示すもので、この足−脛部パーツ６は、中央の縦長形状の前板部６０と、その両側に折り曲げ線ｘを介して連成される側板部６１ａ，６１ｂと、側板部６１ｂの外側に折り曲げ線ｘ介して連成される背板部６２とからなり、この背板部６２の側辺には、足−脛部パーツ６を筒状に折り曲げ成形した際に、前記側板部６１ａの裏面に接着される糊代部６７が形成されている。前記前板部６０の下端には、足のつま先を足−脛部パーツ６の外側に出せるようにするために、比較的大きい台形状の切欠き部６３が形成されている。また、前記両側板部６１ａ，６１ｂの下部には、それぞれ縦長状のスリット６４が形成されている。
【００３０】
さらに、各側板部６１ａ，６１ｂの上端寄りの部分には、逆門形の切り込み部ｇとその両先端部に貫設された小孔ｈとからなる連結手段係止部６６が形成されるとともに、その近傍の側板部６１ａ，６１ｂの上端には、下方に向けてスリット状の切り欠き部６５が形成されている。
この足−脛部パーツ６は、各板部を折り曲げ線ｘから折り曲げして筒状にした状態で、糊代部６７を側板部６１ａの裏面に接着することにより、図３６に示すような筒形状に折り曲げ成形される。
【００３１】
図１１（右足用）、図１４（左足用）、図３７及び図３８（右足側）は腿部パーツ７を示すもので、この腿部パーツ７は、縦長形状の前板部７０と、その両側に折り曲げ線ｘを介して連成される側板部７１，７２と、側板部７１の側辺に折り曲げ線ｘを介して連成される背板部７３とからなり、前記側板部７２の側辺には腿部パーツ７を筒状に折り曲げ成形した際に、前記背板部７３の裏面に接着するための糊代部７４が形成されている。
前記側板部７１，７２のうち、側板部７１が着用者の腿部の外側に、側板部７２が腿部の内側に位置する。
【００３２】
前記前板部７０と側板部７１は、上端側が側板部７２や背板部７３よりも上方に延出し、その延出した上端部分には、逆門形の切り込み部ｇとその両先端部に貫設された小孔ｈとからなる連結手段係止部７５が形成されている。
また、両側板部７１，７２の下端部分には、門形の切り込み部ｉとその両先端部に貫設された小孔ｊとからなる連結手段係止部７６が形成されている。
この腿部パーツ７は、各板部を折り曲げ線ｘから折り曲げして筒状にした状態で、糊代部７４を背板部７３の裏面に接着することにより、図３７及び図３８に示すような筒状に折り曲げ成形される。
【００３３】
図１２（右足用）図１５（左足用）及び図３９（右足用）は足−脛ガードパーツ８を示すもので、この足−脛ガードパーツ８は、縦長矩形状の脛ガード前板部８０と、この脛ガード前板部８０の両側に折り曲げ線ｘを介して連成される脛ガード側板部８１ａ，８１ｂと、前記脛ガード前板部８０の下側に折り曲げ線ｘを介して連成される足ガード前板部８２と、この足ガード前板部８２の両側に折り曲げ線ｘを介して連成される足ガード側板部８３ａ，８３ｂとからなっている。前記脛ガード側板部８１ａ，８１ｂは、脛ガード前板部８０側を下底とする台形状に構成されており、この脛ガード側板部８１ａ，８１ｂの側辺には挿込用板部８４がそれぞれ折り曲げ線ｘを介して連成（突設）され、また、この各挿込用板部８４の基端部には、その下端から上方に向けてスリット状の切欠き部８５が形成されている。
【００３４】
前記足ガード側板部８３ａ，８３ｂは、足ガード前板部８２側を基端部とする細長形状であり、且つ足ガード前板部８２の側辺から斜め上方に延出している。この細長形状の各足ガード側板部８３ａ，８３ｂの先端には折り曲げ線ｘを介して挿込用板部８６が連成（突設）されるとともに、この挿入用板部８６の基端部には、その下端から上方に向けて切り欠き部８８が形成されている。
また、脛ガード前板部８０と足ガード前板部８２間には両者間の折り曲げ線ｘを跨ぐようにして１対の縦長の平行な切り込み部８７が形成されている。また、この１対の切り込み部８７間の上下方向の略中間位置には折り曲げ線ｘが形成されている。
【００３５】
この足−脛ガードパーツ８は、脛ガード側板部８１ａ，８１ｂを折り曲げ線ｘから後方に９０°折り曲げ、さらに、この脛ガード側板部８１ａ，８１ｂの挿込用板部８４を折り曲げ線ｘから互いの方向に９０°折り曲げる。足ガード前板部８２を脛ガード前板部８０に対して折り曲げ線ｘから少し上方に折り曲げるとともに、足ガード側板部８３ａ，８３ｂを折り曲げ線ｘから後方に９０°折り曲げ、さらに、この足ガード側板部８３ａ，８３ｂの挿込用板部８６を折り曲げ線ｘから互い方向に９０°折り曲げる。これにより足−脛ガードパーツ８が図３９の状態に折り曲げ成形される。
【００３６】
この折り曲げ成形された足−脛ガードパーツ８は、その両脛ガード側板部８１ａ，８１ｂと両足ガード側板部８３ａ，８３ｂが、それぞれ前記足−脛部パーツ６の両側板部６１ａ，６１ｂの外側に位置するようにして足−脛部パーツ６の前面に配される。そして、脛ガード側板部８１ａ，８１ｂの挿込用板部８４が足−脛部パーツ６の両側板部６１ａ，６１ｂの切欠き部６５に挿し込まれるとともに、足ガード側板部８３ａ，８３ｂの挿込用板部８６が同じくスリット６４に挿し込まれ、さらに、それら挿込用板部８４，８６の基端部に形成された切り欠き部８５，８８に足−脛部パーツ６の側板部６１ａ，６１ｂの部分を嵌入させることにより、足−脛ガードパーツ８が足−脛部パーツ６に脱着可能に固定される。
【００３７】
また、足−脛部パーツ６と腿部パーツ７とは、図４０（この図４０は、足−脛ガードパーツ８を足−脛部パーツ６に固定しない状態で示してある）に示すように、腿部パーツ７を足−脛部パーツの上に位置させた状態で、連結手段である２本の輪ゴム１３の各一端を足−脛部パーツ６の両側板部６１ａ，６１ｂの上端部分に形成された連結手段係止部６６にそれぞれ引っ掛けて係止するとともに、前記輪ゴム１３の各他端を腿部パーツ７の両側板部７１，７２の下端部分に形成された連結手段係止部７６にそれぞれ引っ掛けて係止することにより、脱着可能に連結される。
以上により、図４１に示されるような足部パーツ３が構成される。なお、図４１は右足用の足部パーツ３を示しているが、左足用の足−脛部パーツ６、腿部パーツ７及び足−脛ガードパーツ８についても、上記と同様に折り曲げ成形及び組み付けが行われ、図４１と対称形状の足部パーツ３が構成されることになる。
【００３８】
次に、腕パーツ４について説明する。
図１６〜図１９は腕部パーツ４（図１６及び図１７は左腕用、図１８及び図１９は右腕用）を構成すべき２つの構成パーツの折り曲げ成形又は／及び組み立て前の平面形状を、また、図４２及び図４３はこれら各構成パーツ（右腕用）を折り曲げ成形又は／及び組み立てした状態を、図４４はこれら２つの構成パーツを組み付けて構成された腕パーツ４及びこれと胴部パーツ２との連結状態（左腕用）をそれぞれ示している。
この腕部パーツ４は、上膊部パーツ９と手−下膊部パーツ１０とから構成される。
【００３９】
図１６（左腕用）、図１８（右腕用）、図４２（右腕用）は前記上膊部パーツ９を示すもので、この上膊部パーツ９は、縦長矩形状の上板部９０と、この上板部９０の両側に折り曲げ線ｘを介して連成される板部９１ａ，９１ｂと、側板部９１ａの側辺に折り曲げ線ｘを介して連成される下板部９２とからなっている。また、この下板部９２の側辺には折り曲げ線ｘを介して糊代部９３が連成されている。この上膊部パーツ９は、上辺が腕部パーツ４の脇の部分となるため、上板部９０の長さが最も長く、下板部９２の長さが最も短く、且つ両側板部９１ａ，９１ｂの上辺が上板部９０と下板部９２の上辺間で斜めに構成されている。これにより上膊部パーツ９を筒状に折り曲げ成形した際に、斜めの端面（図４２）が形成される。
【００４０】
前記下板部９２の上端寄り部分には、逆門側の切り込み部ｇとその両先端部に貫設された小孔ｈとからなる連結手段係止部９４が形成されている。また、両側板部９１ａ，９１ｂの下端寄り部分、門側の切り込み部ｉとその両先端部に貫設された小孔ｊとからなる連結手段係止部９５が形成されている。
以上のような上膊部パーツ９は、各板部を折り曲げ線ｘから折り曲げて筒状にした状態で、糊代部９３を側板部９１ｂの裏面に接着することにより、図４２に示すような筒状に折り曲げ成形される。
【００４１】
図１７（左腕用）、図１９（右腕用）、図４３（右腕用）は前記手−下膊部パーツ１０を示すもので、この手−下膊部パーツ１０は、縦長矩形状の下膊上板部１００と、この下膊上板部１００の両側に折り曲げ線ｘを介して連成される下膊側板部１０１ａ，１０１ｂと、下膊側板部１０１ａの側辺に折り曲げ線ｘを介して連成される下膊下板部１０２と、前記下膊上板部１００の下端に連成される手板部１０３とからなっている。また、この手板部１０３の一方の側辺には折り曲げ線ｘを介して細長板部１０４が連成され、この細長板部１０４には長手方向の２箇所に折り曲げ線ｘが形成されるとともに、先端部に折り曲げ線ｘを介して糊代部１０５が連成されている。また、前記下板部１０２の側辺にも折り曲げ線ｘを介して糊代部１０６が連成されている。
前記両側板部１０１ａ，１０１ｂの上端寄り部分には、逆門型の切り込み部ｇとその両先端部に貫設された小孔ｈとからなる連結手段係止部１０７が形成されている。
【００４２】
以上のような手−下膊部パーツ１０は、各板部を折り曲げ線ｘから折り曲げた状態で、糊代部１０６を下膊側板部１０１ｂの裏面に接着することにより、図４３に示すような筒状に折り曲げ成形されるとともに、前記細長板部１０４をその基端部及び長手方向途中の折り曲げ線ｘから手板部１０３の裏側に折り曲げ、その先端の糊代部１０５を手板部１０３の裏面に接着することにより、着用者が手（指）を引っ掛けて保持（把持）することができる短筒状の把持部１０８が構成される。
【００４３】
以上の上膊部パーツ９と手−下膊部パーツ１０とは、図４４に示すように上膊部パーツ９を手−下膊パーツ１０の上に位置させた状態で、連結手段である２本の輪ゴム１３の各一端を手−下膊部パーツ１０の両下膊側板部１０１ａ，１０１ｂの上端部分に形成された連結手段係止部１０７にそれぞれ引っ掛けて係止するとともに、前記輪ゴム１３の各他端を上膊部パーツ９の両側板部９１ａ，９１ｂの下端部分に形成された連結手段係止部９５にそれぞれ引っ掛けて係止することにより、脱着可能に連結される。
以上により、図４４に示されるような腕部パーツ４が構成される。なお、上膊部パーツ９と手−下膊部パーツ１０とを連結するに当たっては、各パーツを着用する際に、胴部パーツ２に上膊部パーツ９を連結手段（輪ゴム１３）で脱着可能に連結した後に、上記のようにして手−下膊部パーツ１０を上膊部パーツ９に連結するようにしてもよい。
図４４は左腕用の腕部パーツ４を示しているが、右腕用の上膊部パーツ９と手−下膊部パーツ１０についても、上記と同様に折り曲げ成形及び組み付けが行われ、図４４と対称形状の腕部パーツ４が構成されることになる。
【００４４】
次に、足部吊り下げ用パーツ５について説明する。
図２０は足部吊り下げ用パーツ５の折り曲げ成形前の平面形状を、また、図４５は足部吊り下げ用パーツ５を身体に装着可能な状態に折り曲げ成形した状態を、それぞれ示している。
この足部吊り下げ用パーツ５は、長手方向の中間部に頭を通すための穴５０を有する細長材から構成されている。前記穴５０は中央が幅広で、両端側ほど幅狭に構成されている。この足部吊り下げ用パーツ５の両端部分５１，５２には、幅方向両縁部からの切り込み部ｍとこの各切り込み部ｍの先端に貫設された小孔ｎとからなる１対の連結手段係止部５３，５４が形成されている。また、着用者の身長に合わせて連結手段の連結位置を選択できるようにするため、前記１対の連結手段係止部５３，５４は、足部吊り下げ用パーツ５の両端部分の各長手方向で複数対（本実施形態では３対）形成されている。また、この足部吊り下げ用パーツ５の幅方向中央にはパーツ全長に沿って折り曲げ線ｘが形成されている。
この足部吊り下げ用パーツ５は、図４５に示すように、幅方向中央の折り曲げ線ｘからわずかに折り曲げられるとともに、前記穴５０を中心に長手方向で曲げ成形される。
【００４５】
次に、以上述べた各パーツ（折り曲げ成形及び／又は組立てされたパーツ）を身体に装着及び連結し、着ぐるみ玩具として着用するための手順を図４６〜図４８に基づいて説明する。
まず最初に、図４８（ａ）に示すように足部吊り下げ用パーツ５を上体に装着・係止する。すなわち、足部吊り下げ用パーツ５の穴５０に頭を通し、一端側の部分５１が身体の胸−腹側に位置し、他端側の部分５２が身体の背側に位置した状態とする。次いで、両方の足部パーツ３を足に装着し、図４６、図４７及び図４８（ｂ）に示すように、それぞれの足部パーツ３について、２本の輪ゴム１３の各一端を足部パーツ３を構成する腿部パーツ７の前板部７０と側板部７１ａの上端に設けられた連結手段係止部７５にそれぞれ係止するとともに、前記前板部７０に係止された輪ゴム１３の他端を足部吊り下げ用パーツ５の一端側部分５１（胸−腹側）の各側の連結手段係止部５３に、前記側板部７１に係止された輪ゴム１３の他端を足部吊り下げ用パーツ５の他端側部分５２（背側）の各側の連結手段係止部５４に、それぞれ係止する。この状態で、両足部パーツ３は足部吊り下げ用パーツ５に保持される。なお、この際に、着用者の身長に合わせて、輪ゴム１３を係止すべき足部吊り下げ用パーツ５の一端側部分５１及び他端側部分５２の上下方向での連結手段係止部５３，５４を選択する。
【００４６】
次いで、図４８（ｃ）、（ｄ）に示すように胴部パーツ２を頭側から被って上体に装着する。この胴部パーツ２を装着するに際しては、すでに折り曲げ成形及び組み立てが完了した胴部パーツ２を頭から被って上体に装着した後、周胴部パーツ１１と肩部パーツ１２の間から腕を外に出すようにしてもよいが、通常は、図４８（ｃ）に示すように、まず、周胴部パーツ１１を上体に装着した後、肩部パーツ１２を頭から被って装着し、しかる後、前部連結用パーツ１６及び後部連結用パーツ１７Ａ，１７Ｂにより周胴部パーツ１１と肩部パーツ１２を連結して胴部パーツ２を装着状態とするのがよい。胴部パーツ２は、装着された状態で肩部パーツ１２が着用者の肩に載せられることにより身体に保持される。
【００４７】
次いで、図４８（ｅ）に示すように腕に両腕部パーツ４を装着するとともに、輪ゴム１３の一端を各腕部パーツ４を構成する上膊部パーツ９の上端部分に設けられた連結手段係止部９２に係止するとともに、この輪ゴム１３の他端を周胴部パーツ１１の上端に形成された連結手段係止部１１７に係止する。これにより腕部パーツ４が胴部パーツ２に連結される。また、着用者は手の先を腕部パーツ４を構成する手−下膊部パーツ１０の把持部１０８に引っ掛け、この把持部１０８を手で軽く保持（把持）する。各腕部パーツ４は、その上端が輪ゴム１３を介して胴部パーツ２に連結され、下端が着用者の手で保持されるため、着用者の身体に保持される。最後に、頭部パーツ１を頭に被り、図４８（ｆ）に示すような着ぐるみが完成する。なお、胴部パーツ２の背側に取り付けられた後部連結用パーツ１７Ａ，１７Ｂは縦長の筒状であるため、この後部連結用パーツ１７Ａ，１７Ｂを剣や盾などを模したアイテムを収納する収納部として利用してもよい。
【００４８】
次に、本発明の第２の基本形態に係る着ぐるみ玩具について説明する。
この第２の基本形態に係る着ぐるみ玩具は、腕部パーツが、着用者が手で把持することができる把持部を有し、この把持部を着用者が手で把持することにより、各腕部パーツが身体に係止されるようにしたことを基本的な特徴とするものである。
この第２の基本形態に係る着ぐるみ玩具は、ダンボール紙などの折り曲げ可能な板状素材を折り曲げ成形又は／及び組み立てすることにより立体形状に構成される複数のパーツを有し、この複数のパーツを身体に装着することにより、少なくとも身体の主要部分を覆う着ぐるみが構成される着ぐるみ玩具であって、身体の主要部分を覆うためのパーツとして、少なくとも、頭に装着する頭部パーツと、胴体に装着する胴部パーツと、足に装着する１対の足部パーツと、手及び腕に装着する１対の腕部パーツを有するものである。また、この着ぐるみ玩具はさらに、上記第１の基本形態が有するような、胴部パーツの内側で身体に装着・係止される足部吊り下げ用パーツを有することもできる。
【００４９】
図４９〜図５４は、本発明の第２の基本形態に係る着ぐるみ玩具の一実施形態おける、腕部パーツとこの腕部パーツの装着状態を示している。この実施形態の着ぐるみ玩具も、図１〜図４７に示す実施形態と同様に平板状のダンボール紙を素材とし、且つロボット（戦士ロボット）をキャラクターとするものであり、図１〜図４７に示す実施形態と異なるのは、腕部パーツとその保持構造だけであるので、他のパーツについては図示を省略する。また、便宜上、腕部パーツとその各部位は図１〜図４７の実施形態と同一の符号を用いて説明する。
図４９〜図５４のうち、図４９〜図５２は腕部パーツ４（図４９及び図５０は左腕用、図５１及び図５２は右腕用）を構成すべき２つの構成パーツの折り曲げ成形・組み立て前の平面形状を、また、図５３はこれら各構成パーツを折り曲げ成形・組み立てした状態を、図５４は腕パーツ４の装着状態を、それぞれ示している。
【００５０】
図４９（左腕用）及び図５１（右腕用）は上膊部パーツ９を示すもので、この上膊部パーツ９は、矩形状の上板部９０と、この上板部９０の両側に折り曲げ線ｘを介して連成される板部９１ａ，９１ｂと、側板部９１ａの側辺に折り曲げ線ｘを介して連成される下板部９２とからなっている。また、この下板部９２の側辺には折り曲げ線ｘを介して糊代部９３が連成されている。なお、この実施形態では、上板部９０、下板部９２、両側板部９１ａ，９１ｂは全て同じ長さに構成されているが、図１〜図４７の実施形態のように異なる長さにしてもよい。
以上のような上膊部パーツ９は、各板部を折り曲げ線ｘから折り曲げて筒状にした状態で、糊代部９３を側板部９１ｂの裏面に接着することにより、図５３に示すような筒状に折り曲げ成形される。
【００５１】
図５０（左腕用）及び図５２（右腕用）は手−下膊部パーツ１０を示すもので、この手−下膊部パーツ１０は、縦長矩形状の下膊上板部１００と、この下膊上板部１００の両側に折り曲げ線ｘを介して連成される下膊側板部１０１ａ，１０１ｂと、下膊側板部１０１ａの側辺に折り曲げ線ｘを介して連成される下膊下板部１０２と、前記下膊上板部１００の下端に連成される手板部１０３とからなっている。また、この手板部１０３の一方の側辺には折り曲げ線ｘを介して細長板部１０４が連成され、この細長板部１０４には長手方向の２箇所に折り曲げ線ｘが形成されるとともに、先端部に折り曲げ線ｘを介して糊代部１０５が連成されている。また、前記下板部１０２の側辺にも折り曲げ線ｘを介して糊代部１０６が連成されている。
以上のような手−下膊部パーツ１０は、各板部を折り曲げ線ｘから折り曲げた状態で、糊代部１０６を下膊側板部１０１ｂの裏面に接着することにより、図５３に示すような筒状に折り曲げ成形されるとともに、前記細長板部１０４をその基端部及び長手方向途中の折り曲げ線ｘから手板部１０３の裏側に折り曲げ、その先端の糊代部１０５を手板部１０３の裏面に接着することにより、着用者が手（指）を引っ掛けて把持することができる短筒状の把持部１０８が構成される。
【００５２】
以上の上膊部パーツ９と手−下膊部パーツ１０とは、図５３に示すように上膊部パーツ９を手−下膊パーツ１０の上に位置させた状態で、両者の側板部９１ａ，１０１ａの端部どうしを接着テープなどの連結部材Ｄによって折り曲げ動作可能に連結され、一体化される。なお、上膊部パーツ９と手−下膊部パーツ１０とを連結する連結部材Ｄは、両パーツ９，１０を折り曲げ動作できるように連結できるものであればその種類を問わず、例えば、簡易なプラスチック製のヒンジ部材を連結部材として用いてもよい。また、予め、上膊部パーツ９と手−下膊部パーツ１０のいずれか一方または両方に、折り曲げ動作可能な連結代（糊代）を設けておき、この連結代を介して両パーツ９，１０を折り曲げ動作可能に連結してもよい。
上記のように一体化された腕部パーツ４は、図５４に示されるように腕に装着された状態で、着用者が先端の把持部１０８を手で把持することにより、身体に係止される。
図５４は左腕用の腕部パーツ４を示しているが、右腕用の上膊部パーツ９と手−下膊部パーツ１０についても、上記と同様に折り曲げ成形及び組み付けが行われ、図５４と対称形状の腕部パーツ４が構成され、同様に装着されることになる。
【００５３】
図５５（左腕用）及び図５６（右腕用）は、本発明の第２の基本形態に係る着ぐるみ玩具の他の実施形態の腕部パーツを示すもので、図４９〜図５４の実施形態では、腕パーツ４を上膊部パーツ９と手−下膊部パーツ１０という２つのパーツから構成し、これら両パーツ９，１０を連結部材Ｄによって折り曲げ動作可能に連結したのに対し、この実施形態では、腕パーツを１つのパーツで構成し、上膊部分と手−下膊部分とを折り曲げ動作可能に構成したものである。
腕部パーツ４は、縦長矩形状の上板部４０と、この上板部４０の両側に折り曲げ線ｘを介して連成される側板部４１ａ，４１ｂと、側板部４１ａの側辺に折り曲げ線ｘを介して連成される下板部４２と、前記上板部４０の下端に連成される手板部４３とからなっている。また、この手板部４３の一方の側辺には折り曲げ線ｘを介して細長板部４４が連成され、この細長板部４４には長手方向の２箇所に折り曲げ線ｘが形成されるとともに、先端部に折り曲げ線ｘを介して糊代部４５が連成されている。
【００５４】
前記上板部４０、側板部４１ｂ及び下板部４２の長手方向中間部には、幅方向に沿って切り込みｐが入れられ、この切り込みｐにより上板部４０、側板部４１ｂ及び下板部４２は、それぞれ長手方向で２分割されている。そして、この２分割されたうちの上側部分４００，４１０ｂ，４２０が上膊部分を、下側部分４０１，４１１ｂ，４２１が手−下膊部分を、それぞれ構成している。また、前記切り込み部ｐの位置と対応する側板部４１ａの長手方向中間部には、幅方向に沿った折り曲げ線ｘが形成され、この折り曲げ線ｘを境とした上側部分４１０ａが上膊部分を、下側部分４１１ａが手−下膊部分をそれぞれ構成している。そして、側板部４１ａはその中間の折り曲げ線ｘで折り曲げ動作可能となっている。
また、前記下板部４２の２分割された各部分の側辺には折り曲げ線ｘを介して糊代部４６が連成されている。
【００５５】
以上のような腕部パーツ４は、各板部を折り曲げ線ｘから折り曲げて筒状にした状態で、糊代部４６を側板部４１ｂの裏面に接着することにより筒状に折り曲げ成形されとともに、前記細長板部４４をその基端部及び長手方向途中の折り曲げ線ｘから手板部４３の裏側に折り曲げ、その先端の糊代部４５を手板部４３の裏面に接着することにより、着用者が手（指）を引っ掛けて把持することができる短筒状の把持部（図５４の把持部１０８と同じ把持部）が構成される。
このような腕パーツは、図５４と同様に腕に装着された状態で、着用者が先端の把持部を手で把持することにより、身体に係止される。
以上述べた実施形態における他のパーツについては、図１〜図４７の実施形態と同様であり、また、これらパーツは図４８と同様の手順で身体に装着される。なお、本発明の第２の基本形態において、腕パーツ４に形成される把持部（把持部１０８など）は、上述した実施形態のような短筒状のものに限らず、着用者が手で把持することが可能な任意な構造、形状のものとすることができる。また、腕部パーツ４の部分ではなく、他の部材を取り付けることにより把持部を構成するようにしてもよい。
【００５６】
本発明において、着ぐるみ玩具の本体を構成する折り曲げ可能な板状素材の種類に特別な制限はないが、一般には、▲１▼ダンボール紙などの厚紙、▲２▼発泡プラスチックなどのプラスチック板、▲３▼紙、繊維、プラスチックのうちの２種以上の複合材からなる板材、などが挙げられ、これらの１種又は２種以上を用いることができる。
また、各パーツを連結する連結手段にも特別な制限はないが、着用者の動作の自由度を確保するという点からすると可曲性のある素材が好ましい。例えば、輪ゴム、紐材（ゴム製、合成樹脂製、繊維製などの紐）、可曲性のプラスチック材（プラスチック製の線材）などが挙げられ、これらの１種又は２種以上を用いることができる。但し、連結手段としての機能性や脱着の容易さの点では、輪ゴムやゴム紐などのような伸縮可能なゴム製連結手段が好ましく、このなかでも輪ゴムが特に好ましい。
【００５７】
本発明の着ぐるみ玩具の形態やキャラクターは任意である。したがって、例えば、各種の動物、鎧、想像上の生物などの形態やキャラクターを対象とすることができる。
また、本発明の着ぐるみ玩具を構成する各パーツ（ダンボール紙などの板状素材）は、子供が着ぐるみの外観を自由にデザインして自分で着色できるように、本実施形態のように無地としてもよいし、予め所定の模様や彩色を印刷してもよい。
【００５８】
以上説明した本発明の第１の基本形態に係る着ぐるみ玩具によれば、足部吊り下げ用パーツ５を胴部パーツ２の内側に装着し、足部パーツ３が連結手段を介して前記足部吊り下げ用パーツ５に吊り下げ保持されるようにしたので、足部パーツ３の身体に対する保持を適切に行うことができるとともに、足部パーツ３の胴部パーツ２に対する動きの自由度を十分に確保することができる。
また、本発明の第２の基本形態に係る着ぐるみ玩具によれば、腕部パーツ４の先端に形成された把持部を着用者が手で把持することにより、各腕部パーツ４が身体に係止されるので、腕部パーツ４の身体に対する保持を適切に行うことができるとともに、腕部パーツ４の胴部パーツ２に対する動きの自由度を十分に確保することができる。
【００５９】
さらに、上述した各実施形態の構造によれば、以下のような作用効果も得られる。
▲１▼  基本的に、各パーツを予め折り曲げ・組み立てしておき、この各パーツをそのまま身体の各部分に装着して、パーツどうしを連結手段（好ましくは、輪ゴムなどのゴム製の連結手段。以下同様）で脱着可能に連結するだけでよいため、着用が簡単で、しかも身体からの取り外しや各パーツの分解、再着用がし易い。
▲２▼  （ａ）足部パーツ３が連結手段で足部吊り下げ用パーツ５に吊り下げ保持され、且つ腕部パーツ４が連結手段で胴部パーツ２に連結されていること（図１〜図４７の実施形態の場合）、（ｂ）足部パーツ３が足−脛部パーツ６と腿部パーツ７に分かれ、両パーツが連結手段で連結されていること（すなわち、連結手段が関節機構を構成している）、（ｃ）腕部パーツ４が上膊部パーツ９と手−下膊部パーツ１０とに分かれ、両パーツが連結手段で連結されること（すなわち、連結手段が関節機構を構成している）、などの構造を有しているため、着用した状態で体を動かし易く、歩行や腕を用いる動作も極めて容易に行うことができる。
【００６０】
▲３▼  足部吊り下げ用パーツ５の上下方向の複数箇所に、連結手段を係止することができる係止部を設け、着用者の身長に応じて連結手段を係止させる係止部を選択できるようにしたため、着用者の身長の高低に適切に対応することができる。
▲４▼  胴部パーツ２が、周胴部パーツ１１とこの周胴部パーツ１１の上部に連結用パーツ１６，１７Ａ，１７Ｂにより脱着可能に連結される肩部パーツ１２で構成されるため、胴部パーツ２の脱着が容易であるとともに、胴部パーツ２を肩部パーツ１２を介して身体（上体）に適切に保持させることができる。
▲５▼  各パーツどうしの連結が、連結手段を各パーツに形成された切り込み部とその先端に貫設された小孔とにより構成される係止部に係脱可能に係止させることによりなされるため、各パーツ間の強固な連結状態を得ることができるとともに、各パーツの連結及び分解を容易に行うことできる。
【００６１】
▲６▼  連結手段を用いないパーツどうしの連結部（脱着可能な連結部）やパーツを構成すべき部材どうしの連結部（脱着可能な連結部）では、一方のパーツ又は部材に貫設されたスリット又はスリット状の切欠き部に、他方のパーツ又は部材の一部を構成する挿込用板部を挿脱可能に嵌挿することにより、パーツどうし又は部材どうしが脱着可能に連結されるようにしたので、パーツどうしの連結やパーツを構成すべき部材どうしの連結を、特別に用意した連結手段を用いることなく容易に行うことができ、また、その分解も容易である。また、これら連結部では、挿込用板部の基端部の一部にスリット状の切り欠き部が形成され、この切り欠き部内に、連結すべき相手方のパーツ又は部材の一部が嵌入されることにより、パーツどうしまたは部材どうしが脱着可能に連結されるようにしたので、強固な連結構造を得ることができる。
【００６２】
なお、着ぐるみ玩具を構成する頭部パーツ１、胴部パーツ２、足部パーツ３、腕部パーツ４及び足部吊り下げ用パーツ５は、それぞれ上記実施形態に限定されるものではなく、種々の形態をとることができる。したがって、例えば、足部吊り下げ用パーツ５を複数のパーツや部材を組み合わせ構成してもよいし、また、頭部パーツ１、胴部パーツ２、足部パーツ３、腕部パーツ４などを単一部材からなる単一の構成パーツや、複数の部材を固定的に組み付けた単一の構成パーツにより構成させてもよい。
また、本発明の第１の基本形態に係る着ぐるみ玩具が備える足部吊り下げ用パーツ５は、胴部パーツ２の内側で身体に装着・係止することができ、且つ連結手段を介して足部パーツ３を吊り下げ保持できるようなものであれば、いかなる構成、形状のものでもよい。したがって、その素材も折り曲げ可能な板状素材以外のもの（例えば、紐を主体とした素材、プラスチックなど）や、折り曲げ可能な板状素材と他の素材を組み合わせたものなど、適宜な素材により構成することができる。但し、本発明の着ぐるみ玩具は、玩具としての面白みや製造コストなどの面で、パーツ全体を実質的に同一の素材で構成するのが最も好ましく、この観点からは、足部吊り下げ用パーツ５も他の主要なパーツと同様に折り曲げ可能な板状素材で構成するのが好ましい。
【００６３】
【発明の効果】
以上述べたように本発明の第１の基本形態に係る着ぐるみ玩具は、足部吊り下げ用パーツを胴部パーツの内側に装着し、足部パーツが連結手段を介して前記足部吊り下げ用パーツに吊り下げ保持されるようにしたので、足部パーツの身体に対する保持を適切に行うことができ、しかも足部パーツの胴部パーツに対する動きの自由度を十分に確保することができる。
また、本発明の第２の基本形態に係る着ぐるみ玩具は、腕部パーツの先端に形成された把持部を着用者が手で把持することにより、各腕部パーツが身体に係止されるので、腕部パーツの身体に対する保持を適切に行うことができるとともに、腕部パーツの胴部パーツに対する動きの自由度を十分に確保することができる。
また、各従属請求項に係る発明の着ぐるみ玩具によれば、組み立てや着用が簡単である、着用した状態で体を動かし易い、身体からの取り外しや各パーツの分解、再着用がし易い、着用者の身長の高低に対応できる、などの種々の利点が得られる。
【図面の簡単な説明】
【図１】本発明の第１の基本形態に係る着ぐるみ玩具の一実施形態において、頭部パーツを構成すべき頭部本体パーツの平面形状を示す図面
【図２】本発明の第１の基本形態に係る着ぐるみ玩具の一実施形態において、頭部パーツを構成すべき第一の付属パーツの平面形状を示す図面
【図３】本発明の第１の基本形態に係る着ぐるみ玩具の一実施形態において、頭部パーツを構成すべき第二の付属パーツの平面形状を示す図面
【図４】本発明の第１の基本形態に係る着ぐるみ玩具の一実施形態において、胴部パーツを構成すべき周胴部パーツ用の第一の部材の平面形状を示す図面
【図５】本発明の第１の基本形態に係る着ぐるみ玩具の一実施形態において、胴部パーツを構成すべき周胴部パーツ用の第二の部材の平面形状を示す図面
【図６】本発明の第１の基本形態に係る着ぐるみ玩具の一実施形態において、胴部パーツを構成すべき肩部パーツの平面形状を示す図面
【図７】本発明の第１の基本形態に係る着ぐるみ玩具の一実施形態において、胴部パーツを構成すべき前部連結用パーツの平面形状を示す図面
【図８】本発明の第１の基本形態に係る着ぐるみ玩具の一実施形態において、胴部パーツを構成すべき第一の後部連結用パーツの平面形状を示す図面
【図９】本発明の第１の基本形態に係る着ぐるみ玩具の一実施形態において、胴部パーツを構成すべき第二の後部連結用パーツの平面形状を示す図面
【図１０】本発明の第１の基本形態に係る着ぐるみ玩具の一実施形態において、右足用の足部パーツを構成すべき足−脛部パーツの平面形状を示す図面
【図１１】本発明の第１の基本形態に係る着ぐるみ玩具の一実施形態において、右足用の足部パーツを構成すべき腿部パーツの平面形状を示す図面
【図１２】本発明の第１の基本形態に係る着ぐるみ玩具の一実施形態において、右足用の足部パーツを構成すべき脛ガードパーツの平面形状を示す図面
【図１３】本発明の第１の基本形態に係る着ぐるみ玩具の一実施形態において、左足用の足部パーツを構成すべき足−脛部パーツの平面形状を示す図面
【図１４】本発明の第１の基本形態に係る着ぐるみ玩具の一実施形態において、左足用の足部パーツを構成すべき腿部パーツの平面形状を示す図面
【図１５】本発明の第１の基本形態に係る着ぐるみ玩具の一実施形態において、左足用の足部パーツを構成すべき脛ガードパーツの平面形状を示す図面
【図１６】本発明の第１の基本形態に係る着ぐるみ玩具の一実施形態において、左腕用の腕部パーツを構成すべき上膊部パーツの平面形状を示す図面
【図１７】本発明の第１の基本形態に係る着ぐるみ玩具の一実施形態において、左腕用の腕部パーツを構成すべき手−下膊部パーツの平面形状を示す図面
【図１８】本発明の第１の基本形態に係る着ぐるみ玩具の一実施形態において、右腕用の腕部パーツを構成すべき上膊部パーツの平面形状を示す図面
【図１９】本発明の第１の基本形態に係る着ぐるみ玩具の一実施形態において、右腕用の腕部パーツを構成すべき手−下膊部パーツの平面形状を示す図面
【図２０】本発明の第１の基本形態に係る着ぐるみ玩具の一実施形態において、足部吊り下げ用パーツの平面形状を示す図面
【図２１】本発明の第１の基本形態に係る着ぐるみ玩具の一実施形態において、頭部パーツを構成すべき頭部本体パーツを折り曲げ成形した状態で示す斜視図
【図２２】本発明の第１の基本形態に係る着ぐるみ玩具の一実施形態において、頭部パーツを構成すべき第一の付属パーツを折り曲げ成形した状態で示す斜視図
【図２３】本発明の第１の基本形態に係る着ぐるみ玩具の一実施形態において、頭部パーツを構成すべき第二の付属パーツを折り曲げ成形した状態で示す斜視図
【図２４】本発明の第１の基本形態に係る着ぐるみ玩具の一実施形態において、折り曲げ成形及び組み立てが完了した頭部パーツを示す斜視図
【図２５】本発明の第１の基本形態に係る着ぐるみ玩具の一実施形態において、胴部パーツを構成すべき周胴部パーツを折り曲げ成形及び組み立てした状態（前面側）で示す斜視図
【図２６】本発明の第１の基本形態に係る着ぐるみ玩具の一実施形態において、胴部パーツを構成すべき周胴部パーツを折り曲げ成形及び組み立てした状態（背面側）で示す斜視図
【図２７】本発明の第１の基本形態に係る着ぐるみ玩具の一実施形態において、胴部パーツを構成すべき肩部パーツを折り曲げ成形した状態（前面側）で示す斜視図
【図２８】本発明の第１の基本形態に係る着ぐるみ玩具の一実施形態において、胴部パーツを構成すべき肩部パーツを折り曲げ成形した状態（背面側）で示す斜視図
【図２９】本発明の第１の基本形態に係る着ぐるみ玩具の一実施形態において、胴部パーツを構成すべき前部連結用パーツを折り曲げ成形した状態で示す斜視図
【図３０】本発明の第１の基本形態に係る着ぐるみ玩具の一実施形態において、胴部パーツを構成すべき後部連結用パーツを折り曲げ成形した状態で示す斜視図
【図３１】本発明の第１の基本形態に係る着ぐるみ玩具の一実施形態において、胴部パーツを構成すべき肩部パーツを周胴部パーツに組み付ける途中の状態を示す斜視図
【図３２】本発明の第１の基本形態に係る着ぐるみ玩具の一実施形態において、胴部パーツを構成すべき肩部パーツを周胴部パーツに組み付ける途中の状態を示す斜視図
【図３３】本発明の第１の基本形態に係る着ぐるみ玩具の一実施形態において、胴部パーツを構成すべき肩部パーツを周胴部パーツに組み付ける途中の状態を示す斜視図
【図３４】本発明の第１の基本形態に係る着ぐるみ玩具の一実施形態において、胴部パーツを構成すべき肩部パーツを周胴部パーツに組み付ける途中の状態を示す斜視図
【図３５】本発明の第１の基本形態に係る着ぐるみ玩具の一実施形態において、折り曲げ成形及び組み立てが完了した胴部パーツを示す斜視図
【図３６】本発明の第１の基本形態に係る着ぐるみ玩具の一実施形態において、足部パーツを構成すべき足−脛部パーツを折り曲げ成形した状態で示す斜視図
【図３７】本発明の第１の基本形態に係る着ぐるみ玩具の一実施形態において、足部パーツを構成すべき腿部パーツを折り曲げ成形した状態（前面側）で示す斜視図
【図３８】本発明の第１の基本形態に係る着ぐるみ玩具の一実施形態において、足部パーツを構成すべき腿部パーツを折り曲げ成形した状態（背面側）で示す斜視図
【図３９】本発明の第１の基本形態に係る着ぐるみ玩具の一実施形態において、足部パーツを構成すべき脛ガードパーツを折り曲げ成形した状態で示す斜視図
【図４０】本発明の第１の基本形態に係る着ぐるみ玩具の一実施形態において、足部パーツを構成すべき足−脛部パーツと腿部パーツを組み付けした状態で示す斜視図
【図４１】本発明の第１の基本形態に係る着ぐるみ玩具の一実施形態において、折り曲げ成形及び組み立てが完了した足部パーツを示す斜視図
【図４２】本発明の第１の基本形態に係る着ぐるみ玩具の一実施形態において、腕部パーツを構成すべき上膊部パーツを折り曲げ成形した状態で示す斜視図
【図４３】本発明の第１の基本形態に係る着ぐるみ玩具の一実施形態において、腕部パーツを構成すべき手−下膊部パーツを折り曲げ成形した状態で示す斜視図
【図４４】本発明の第１の基本形態に係る着ぐるみ玩具の一実施形態において、折り曲げ成形及び組み立てが完了した腕部パーツを示す斜視図
【図４５】本発明の第１の基本形態に係る着ぐるみ玩具の一実施形態において、折り曲げ成形された足部吊り下げ用パーツを示す斜視図
【図４６】本発明の第１の基本形態に係る着ぐるみ玩具の一実施形態において、足部吊り下げ用パーツの一端側部分と足部パーツとの連結構造を示す斜視図
【図４７】本発明の第１の基本形態に係る着ぐるみ玩具の一実施形態において、足部吊り下げ用パーツの他端側部分と足部パーツとの連結構造を示す斜視図
【図４８】本発明の第１の基本形態に係る着ぐるみ玩具の一実施形態において、各パーツの身体への装着の手順を示す説明図
【図４９】本発明の第２の基本形態に係る着ぐるみ玩具の一実施形態において、左腕用の腕部パーツを構成すべき上膊部パーツの平面形状を示す図面
【図５０】本発明の第２の基本形態に係る着ぐるみ玩具の一実施形態において、左腕用の腕部パーツを構成すべき手−下膊部パーツの平面形状を示す図面
【図５１】本発明の第２の基本形態に係る着ぐるみ玩具の一実施形態において、右腕用の腕部パーツを構成すべき上膊部パーツの平面形状を示す図面
【図５２】本発明の第２の基本形態に係る着ぐるみ玩具の一実施形態において、右腕用の腕部パーツを構成すべき手−下膊部パーツの平面形状を示す図面
【図５３】本発明の第２の基本形態に係る着ぐるみ玩具の一実施形態において、腕部パーツの構成パーツを折り曲げ成形し且つ組み付けした状態で示す斜視図
【図５４】本発明の第２の基本形態に係る着ぐるみ玩具の一実施形態において、腕部パーツを装着した状態を示す斜視図
【図５５】本発明の第２の基本形態に係る着ぐるみ玩具の他の実施形態において、左腕用の腕部パーツの平面形状を示す図面
【図５６】本発明の第２の基本形態に係る着ぐるみ玩具の他の実施形態において、右腕用の腕部パーツの平面形状を示す図面
【符号の説明】
１…頭部パーツ、２…胴部パーツ、３…足部パーツ、４…腕部パーツ、５…足部吊り下げ用パーツ５、６…足−脛部パーツ、７…腿部パーツ、８…足−脛ガードパーツ、９…上膊部パーツ、１０…手−下膊部パーツ、１１…周胴部パーツ、１２…肩部パーツ、１３…輪ゴム、１４…頭部本体パーツ、１５Ａ，１５Ｂ…付属パーツ、１６…前部連結用パーツ、１７Ａ，１７Ｂ…後部連結用パーツ、４０…上板部、４１ａ，４１ｂ…側板部、４２…下板部、４３…手板部、４４…細長板部、４５…糊代部、４６…糊代部、５０…穴、５１…部分、５２…部分、５３…連結手段係止部、５４…連結手段係止部、６０…前板部、６１ａ，６１ｂ…側板部、６２…背板部、６３…切欠き部、６４…スリット、６５…切欠き部、６６…連結手段係止部、６７…糊代部、７０…前板部、７１…側板部、７２…側板部、７３…背板部、７４…糊代部、７５…連結手段係止部、７６…連結手段係止部、８０…脛ガード前板部、８１ａ，８１ｂ…脛ガード側板部、８２…足ガード前板部、８３ａ，８３ｂ…足ガード側板部、８４…挿込用板部、８５…切り欠き部、８６…挿込用板部、８７…切り込み部、８８…切欠き部、９０…上板部、９１ａ，９１ｂ…側板部、９２…下板部、９３…糊代部、９４…連結手段係止部、９５…連結手段係止部、１００…下膊上板部、１０１ａ，１０１ｂ…下膊側板部、１０２…下膊下板部、１０３…手板部、１０４…細長板部、１０５…糊代部、１０６…糊代部、１０７…連結手段係止部、１０８…係止部、１１０…前胴部材、１１１…後胴部材、１１２…前板部、１１３ａ，１１３ｂ…側板部、１１４…切り込み部、１１５…挿込用板部、１１６…切り欠き部、１１７…連結手段係止部、１１８…スリット、１１９…糊代部、１２０…中央板部、１２１ａ，１２１ｂ…張り出し肩板部、１２１０…部分、１２２…胸板部、１２３…背板部、１２４…穴、１２５…スリット、１２６ａ，１２６ｂ…スリット、１４０…周胴板部、１４１…天板部、１４２…連結用板部、１４３ａ，１４３ｂ，１４３ｃ…窓孔、１４４…スリット、１４５ａ，１４５ｂ…糊代部、１４６…スリット、１４７…スリット、１５０…下板部、１５１…挿込用板部、１５２…切欠き部、１５３…挿込用板部、１５４…切欠き部、１５５…上板部、１６０…背板部、１６１…上板部、１６２…下板部、１６３，１６３´…前板部、１６４…スリット、１７０…前板部、１７１ａ，１７１ｂ…側板部、１７２…背板部、１７３…背板部、１７４…切欠き部、１７５…挿込用板部、１７６…切り込み部、１７７…スリット、４００，４１０ａ，４１０ｂ，４２０…上側部分、４０１，４１１ａ，４１１ｂ，４２１…下側部分、ｅ…切り込み部、ｆ…小孔、ｇ…切り込み部、ｈ…小孔、ｉ…切り込み部、ｊ…小孔、ｍ…切り込み部、ｎ…小孔、ｘ…折り曲げ線、ｐ…切り込み部
【図１】
2004242795.tif 000003
【図２】
2004242795.tif 000004
【図３】
2004242795.tif 000005
【図４】
2004242795.tif 000006
【図５】
2004242795.tif 000007
【図６】
2004242795.tif 000008
【図７】
2004242795.tif 000009
【図８】
2004242795.tif 000010
【図９】
2004242795.tif 000011
【図１０】
2004242795.tif 000012
【図１１】
2004242795.tif 000013
【図１２】
2004242795.tif 000014
【図１３】
2004242795.tif 000015
【図１４】
2004242795.tif 000016
【図１５】
2004242795.tif 000017
【図１６】
2004242795.tif 000018
【図１７】
2004242795.tif 000019
【図１８】
2004242795.tif 000020
【図１９】
2004242795.tif 000021
【図２０】
2004242795.tif 000022
【図２１】
2004242795.tif 000023
【図２２】
2004242795.tif 000024
【図２３】
2004242795.tif 000025
【図２４】
2004242795.tif 000026
【図２５】
2004242795.tif 000027
【図２６】
2004242795.tif 000028
【図２７】
2004242795.tif 000029
【図２８】
2004242795.tif 000030
【図２９】
2004242795.tif 000031
【図３０】
2004242795.tif 000032
【図３１】
2004242795.tif 000033
【図３２】
2004242795.tif 000034
【図３３】
2004242795.tif 000035
【図３４】
2004242795.tif 000036
【図３５】
2004242795.tif 000037
【図３６】
2004242795.tif 000038
【図３７】
2004242795.tif 000039
【図３８】
2004242795.tif 000040
【図３９】
2004242795.tif 000041
【図４０】
2004242795.tif 000042
【図４１】
2004242795.tif 000043
【図４２】
2004242795.tif 000044
【図４３】
2004242795.tif 000045
【図４４】
2004242795.tif 000046
【図４５】
2004242795.tif 000047
【図４６】
2004242795.tif 000048
【図４７】
2004242795.tif 000049
【図４８】
2004242795.tif 000050
【図４９】
2004242795.tif 000051
【図５０】
2004242795.tif 000052
【図５１】
2004242795.tif 000053
【図５２】
2004242795.tif 000054
【図５３】
2004242795.tif 000055
【図５４】
2004242795.tif 000056
【図５５】
2004242795.tif 000057
【図５６】
2004242795.tif 000058